(57)【特許請求の範囲】
【請求項１】
杭孔に吊り込んだ角形断面のガイド管を所定の向きに且つ鉛直にセットし、次いで、かかる状態のガイド管に対して構真柱を落としこむことにより、当該ガイド管の内面でガイドさせて、構真柱の向きと鉛直度とを確保するようにした構真柱建て込み工法において、ガイド管をその各辺が構真柱の座標軸に対して４５度回転した位置関係にセットすることを特徴とする構真柱建て込み工法。
【請求項２】
予め杭孔に建て込まれたケーシングの上部に対応する作業床に設置した上部芯決め装置に、側面に鉛直度測定装置が、下部側には下部芯決め装置が夫々装備された角形断面のガイド管を吊り込み、当該ガイド管を、前記上部芯決め装置と下部芯決め装置とを介して、所定の向きに且つ鉛直にセットし、次いで、かかる状態のガイド管に対して、フランジ外面に密嵌用スペーサーを付設した断面形状がＨ型又はクロスＨ型の構真柱を落としこむことにより、当該ガイド管の内面でガイドさせて、構真柱の向きと鉛直度とを確保するようにした構真柱建て込み工法において、ガイド管をその各辺が構真柱の座標軸に対して４５度回転した位置関係にセットすることを特徴とする構真柱建て込み工法。
【請求項３】
密嵌用スペーサーの両端部を、ガイド管の互いに直角に隣接する内面でガイドするように構成したことを特徴とする請求項２に記載の構真柱建て込み工法。
【請求項４】
側面に鉛直度測定装置が、下部側には下部芯決め装置が夫々装備された角形断面のガイド管であって、上部外側部に、対角線方向へ突出した一対のブラケットを設けてあることを特徴とするガイド管。
【請求項５】
側面に鉛直度測定装置が、下部側には下部芯決め装置が夫々装備された角形断面のガイド管であって、上部外側部に、対角線方向へ突出した第一の一対のブラケットと、相対向する２辺の中央部から各辺に対して直角方向へ突出した第二の一対のブラケットとを設けてあることを特徴とするガイド管。
【発明の詳細な説明】
【０００１】
【発明の属する技術分野】
本発明は、杭孔に吊り込んだ角形断面のガイド管を所定の向きに且つ鉛直にセットし、次いで、かかる状態のガイド管に対して構真柱を落としこむことにより、当該ガイド管の内面でガイドさせて、構真柱の向きと鉛直度とを確保するようにした構真柱建て込み工法と、それに用いるガイド管に関するものである。
【０００２】
【従来の技術】
逆打ち工法によって地下躯体を構築する際の仮設支柱として使用される構真柱は、最終的には、地下階の本設柱となるものであるから、所定の位置に正確に建て込む必要があり、精度の確保が特に重要である。
【０００３】
ガイド管を用いた上記の構真柱建て込み工法は、特開平６−６５９２４号公報等に見られる通り、構真柱の精度を容易に確保できるようにしたものであって、杭孔内に先行して打設された場所打ちコンクリート杭に根入れした状態に構真柱を建て込むにあたり、図１４に示すように、構真柱Ａに比して断面が大きくて、撓む恐れがない角形断面の鋼管製のガイド管Ｂを杭孔Ｆに所定の向きで且つ鉛直に精度良く設置することにより、その内面に沿わせて構真柱Ａを落とし込むだけで、構真柱Ａの向きと鉛直度とを確保できるようにした点に特徴がある。
【０００４】
尚、図中のＥは予め杭孔に建て込まれた円形断面のケーシング、Ｄは構真柱Ａの上部に連結された同一断面形状のヤットコ（建て込み補助治具）、Ｈは上部芯決め装置であり、ジャッキ１０により上面を水平に調整可能な架台１１、架台１１上に井桁状に載置固定された主桁２０ａ，２０ｂ及び副桁２１ａ，２１ｂ等により構成されている。Ｋは、ガイド管Ｂの側面に装備された鉛直度測定装置であり、水を封入した水管の内部に、当該水管の底面中央部に紐状部材で結び付けたフロートを配置し、水管の上端に目印付きの透明窓を設けて構成されている。Ｊはガイド管Ｂの下部側の四周外面に水平に付設した４本のジャッキ９等によって構成した下部芯決め装置である。
【０００５】
ガイド管Ｂを用いた構真柱建て込み工法は、構真柱を吊り下げた際の構真柱自体の鉛直性（垂げ振り効果）を利用した工法や地上にガイド櫓を建て、これを定規として構真柱を建て込む方法などに比して、精度の向上や安全性の確保など、多くの面で優れた利点を有するが、従来では、図１５に示すように、角形断面のガイド管Ｂを、その各辺が、建築物の通り芯に合わせた構真柱Ａの座標軸Ｘ，Ｙに合致する状態に設置していたので、次のような問題点があった。
【０００６】
例えば、図示のようなクロスＨ型構真柱Ａを例にとって説明すると、構真柱Ａをガイド管Ｂに落とし込むためには、構真柱Ａの突起物であるエレクションピース（ヤットコＤと称される建て込み補助治具を連結するために、構真柱Ａの上端部のフランジ外面に溶接等により固着されたプレート）やウイングプレート（コンクリート杭Ｃに根入れする構真柱Ａの接触面積を確保するために、構真柱Ａ下端部のフランジ外面に溶接等により固着されたプレート）３の先端間の長さＬ１  以上の径のガイド管Ｂが必要である。一方、杭軸径Ｌ２  となるケーシングＥの内面と、ガイド管Ｂとの間には、下部芯決め装置Ｊの配置および動作に要する一定のスペースＳが必要である。
【０００７】
従って、エレクションピースやウイングプレート３を含む構真柱Ａの外寸と、ガイド管Ｂの外寸と、杭軸径とは、概ね次式の関係となる。
【０００８】
構真柱外寸＜ガイド管外寸＜杭軸径／１．４
【０００９】
そのため、従来のこの種の構真柱建て込み工法では、杭軸径Ｌ２  が構真柱外寸の１．５倍以上あることが、適用可能であることの判断基準とされており、それよりも杭軸径が細い場合には、ガイド管Ｂによる構真柱建て込み工法は適用できないとされていたのである。
【００１０】
また、上記の寸法制約条件により、構真柱寸法によっては、構真柱Ａのフランジ外面にエレクションピースを取り付けることができないケースがあり、このような場合には、図１７に示すように、構真柱Ａの頭部のウエブにヤットコを連結するためのベースプレート２ａを取り付けたり、図１８に示すように、構真柱Ａの頭部のウエブ又はフランジにヤットコ連結用孔２ｂを加工することになり、ヤットコ側にも、それに対応した加工が必要となる。
【００１１】
また、ガイド管Ｂに対する構真柱Ａの振れや回転を阻止して、建て込み精度を確保するためには、構真柱Ａの長手方向数カ所において、図１６に示すように、四方のフランジに、各々、ガイド管Ｂの相対向する内面で両端部をガイドするようにした４本の密嵌合用スペーサー４ａを取り付ける必要があり、密嵌合用スペーサー４ａの取付け作業量が多いという難点もあった。
【００１２】
【発明が解決しようとする課題】
本発明は、上記の点に留意してなされたものであって、その目的とするところは、ガイド管利用による構真柱建て込み工法の適用範囲を従来よりも拡大し、杭軸径が細い場合にも、ガイド管による構真柱建て込み工法を適用できるようにすることにある。
【００１３】
本発明の他の目的は、ガイド管の入隅部と構真柱のフランジとの間のスペースを利用することにより、構真柱の突起物であるエレクションピースやウイングプレートの取付けが不能となるケースを減少することにある。
【００１４】
本発明の他の目的は、ガイド管に対する構真柱の振れや回転を阻止して、建て込み精度を確保するための密嵌用スペーサーの個数を半減し、密嵌合用スペーサーの取付け作業量を低減することにある。
【００１５】
本発明の他の目的は、上記の構真柱建て込み工法に使用する新規なガイド管を提供することにある。本発明のその他の目的ないしは効果は、以下の実施例を通して明らかにされる。
【００１６】
【課題を解決するための手段】
上記の課題を解決するために、本発明では、角形断面のガイド管を、その各辺が構真柱の座標軸に対して４５度回転した位置関係にセットし、このガイド管の内面でガイドさせて、構真柱の向きと鉛直度とを確保するようにしている。
【００１７】
【発明の実施の形態】
本発明は、杭孔に吊り込んだ角形断面のガイド管を所定の向きに且つ鉛直にセットし、次いで、かかる状態のガイド管に対して構真柱を落としこむことにより、当該ガイド管の内面でガイドさせて、構真柱の向きと鉛直度とを確保するようにした構真柱建て込み工法において、ガイド管をその各辺が構真柱の座標軸に対して４５度回転した位置関係にセットするという形態で実施できる。
【００１８】
より具体的には、予め杭孔に建て込まれたケーシングの上部に対応する作業床に設置した上部芯決め装置に、側面に鉛直度測定装置が、下部側には下部芯決め装置が夫々装備された角形断面のガイド管を吊り込み、当該ガイド管を、前記上部芯決め装置と下部芯決め装置とを介して、所定の向きに且つ鉛直にセットし、次いで、かかる状態のガイド管に対して、フランジ外面に密嵌用スペーサーを付設した断面形状がＨ型又はクロスＨ型の構真柱を落としこむことにより、当該ガイド管の内面でガイドさせて、構真柱の向きと鉛直度とを確保するようにした構真柱建て込み工法において、ガイド管をその各辺が構真柱の座標軸に対して４５度回転した位置関係にセットするという形態で本発明は実施できる。
【００１９】
この構成によれば、ガイド管に構真柱を落とし込むことにより、構真柱の突起物であるエレクションピースやウイングプレートが、ガイド管の入隅部の空間に位置することになる。換言すれば、ガイド管の入隅部と構真柱のフランジとの間のスペースが構真柱の突起物であるエレクションピースやウイングプレートの通過空間として利用されることになる。従って、ガイド管外寸が従来工法と同じであれば、従来工法よりも太い構真柱を落とし込むことが可能である。
【００２０】
構真柱のフランジ外面に付設する密嵌用スペーサーとしては、従来通り、四方に設けてもよいが、上記の工法では、構真柱の座標軸に対して４５度回転した位置関係にある角形断面のガイド管に、構真柱を落とし込んだ状態において、構真柱のフランジが角形断面のガイド管の入隅部と対向することになるため（換言すれば、フランジがガイド管の対角線に対して直角に位置するため）、当該フランジ外面に付設した密嵌用スペーサーの両端部を、ガイド管の互いに直角に隣接する内面でガイドさせることが可能である。従って、相対向する二つのフランジの外面にだけ、密嵌用スペーサーを設けて、密嵌用スペーサーの数を半減することが可能である。
【００２１】
上記の構真柱建て込み工法に使用する角形断面のガイド管としては、上部外側部に、対角線方向へ突出した一対のブラケットを設けたものが、好適である。
【００２２】
また、側面に鉛直度測定装置が、下部側には下部芯決め装置が夫々装備された角形断面のガイド管であって、上部外側部に、対角線方向へ突出した第一の一対のブラケットと、相対向する２辺の中央部から各辺に対して直角方向へ突出した第二の一対のブラケットとを設けてあるガイド管であれば、角形断面のガイド管を、その各辺が、建築物の通り芯に合わせた構真柱の座標軸に合致する状態に設置する従来工法と、ガイド管をその各辺が構真柱の座標軸に対して４５度回転した位置関係にセットする本発明の上記工法とに、共用できる。
【００２３】
【実施例】
以下、本発明に係る構真柱建て込み工法とそれに用いるガイド管の実施例を図面に基づいて説明する。図１は、断面形状がクロスＨ型の鉄骨よりなる構真柱Ａを、角形断面（正方形）の鋼管製のガイド管Ｂに落とし込んで、所定の向きに且つ鉛直に、しかも、場所打ちコンクリート杭Ｃに根入れした状態に、建て込んだ直後の状態を示している。図中のＤは構真柱Ａの上端に連結された構真柱Ａと同一断面形状のヤットコ（建て込み補助治具）、Ｅは予め杭孔Ｆに建て込まれた円形断面の孔壁保護用のケーシング、Ｇは孔壁安定液、ＨはケーシングＥの上部に対応する作業床（捨てコンクリート等により構成される。）Ｉに設置された上部芯決め装置、Ｊはガイド管Ｂの下部側に設けた下部芯決め装置、Ｋはガイド管Ｂの側面に設けた鉛直度測定装置である。ＬはヤットコＤを支持するジャッキ、Ｍはジャッキ受けを示す。
【００２４】
前記構真柱Ａは、図２に示すように、断面形状がクロスＨ型で、上端側には、四方のフランジ１ａの外面にエレクションピース２が溶接等により固着されており、下端側には、各フランジ１ａの外面に夫々２枚ずつウイングプレート３が溶接等により固着されている。４は、構真柱Ａのフランジ１ａ外面に溶接等により固着した密嵌用スペーサーであり、ガイド管Ａの長さよりも短い間隔で上下複数段（図示の例では３段）に設けられている。この密嵌用スペーサー４は、両端部を４５度の角度でハの字状に切り落としたフラットバーによって構成されており、ガイド管Ａの互いに直角に隣接する内面で、両端部をカイドされるようになっている。そして、密嵌用スペーサー４は、当該密嵌用スペーサー４とその取付け作業を低減するために、４枚のフランジ１ａのうち、相対向する２枚のフランジ１ａにだけ設けられている。
【００２５】
前記ガイド管Ｂは、図３の（Ａ），（Ｂ）に示すように、上部外側部に、対角線方向へ突出した一対のブラケット５ａ，５ａを有し、このブラケット５ａ，５ａを介して前記上部芯決め装置Ｈに支持されるようになっている。各ブラケット５ａには、図１に示すように、ガイド管Ｂを揚重機で縦姿勢に吊り下げ支持する際に使用するシャックル係止用の孔６が形成されている。図３に示す７ａはガイド管Ｂの主要構成部材である角形鋼管７の上端外周を取り囲んだ状態に固着された補強バンド、７ｂは上端フランジである。８は輸送等のためにガイド管Ｂを横向きに吊り上げる際に使用される係止金具である。
【００２６】
前記下部芯決め装置Ｊは、地上からの遠隔操作により水平方向に伸縮動作可能な４個のジャッキ９を、ガイド管Ｂの各辺中央部に付設して構成されている。前記鉛直度測定装置Ｋは、水を封入したガイド管Ｂと平行な水管の内部に、当該水管の底面中央部に紐状部材で結び付けたフロートを配置し、水管の上端に目印付きの透明窓を設けて構成されている。尚、図示の鉛直度測定装置Ｋは、ガイド管Ｂと同程度の長さを有するので、ジャッキ９と当たらないように、ガイド管Ｂの一側面の片側に偏位させて付設してある。
【００２７】
前記上部芯決め装置Ｈは、図４〜図６に示すように、開口枠状で且つ４本のジャッキ１０により高さ調節と上面を水平に調整することが可能な架台１１と、架台１１上に載置固定される２本の桁材１２，１３とで構成されている。各桁材１２，１３は、適当な長さに裁断されたＨ型鋼により構成されており、相対向する側面の中央部には、ガイド管Ｂにおける対角線方向の角部と嵌合する互いに直角な嵌合面ｃを有する平面視略Ｍ型の位置決め部材１２ａ，１３ａが溶接等の手段により固着されている。１２ｂ，１３ｂは上フランジに溶接された桁材１２，１３揚重用のブラケットである。
【００２８】
上記構成の上部芯決め装置Ｈを使用すれば、１本の桁材でガイド管Ｂの二方向の位置を規定することができるので、架台１１上面のレベル調整後、架台１１の上面に、墨出しを行って、１本の桁材１２を所定位置に載置固定すれば、具体的には、図７の（Ａ）に示すように、桁材１２を架台１１上に、位置決め部材１２ａの中心が建築物の通り芯に合わせた構真柱の座標軸Ｘの上に位置し、且つ、桁材１２の側面が構真柱の座標軸Ｙと平行で且つ座標軸Ｙから所定距離離れて位置するように載置して、万力式のクランプ金物等により架台１１に固定すれば、図７の（Ｂ）に示すように、ガイド管Ｂの角部を位置決め部材１２ａに嵌合させるだけで、ガイド管Ｂの向きと芯が規定されることになる。
【００２９】
従って、架台１１に載置した他の１本の桁材１３をガイド管Ｂ側に移動させて、その位置決め部材１３ａを、図７の（Ｃ）に示すように、ガイド管Ｂの対角線方向の角部に嵌合させ、この状態で、当該桁材１３を架台１１に同様な手段で固定することにより、ガイド管Ｂの上部の芯決め作業が完了することになる。
【００３０】
次に、本発明に係る構真柱建て込み工法の施工手順の概略を説明する。
図８に示すように、場所打ちコンクリート杭Ｃのための杭孔Ｆを公知の方法で、地上から掘削し、図外の杭用鉄筋籠を吊り込んだ後、ケーシングＥ周囲の作業床Ｉに上部芯決め装置Ｈを設置し、揚重機によって縦姿勢に吊り下げたガイド管ＢをケーシングＥ内に降ろす。そして、上部芯決め装置Ｈと下部芯決め装置Ｊを介して、ガイド管Ｂを所定の向きに且つ鉛直に建て込む。この場合、ガイド管Ｂの芯は、地下躯体の設計上の柱芯（後の工程で建て込むべき構真柱Ａの芯）と合致させることは当然であるが、本発明においては、更に、図６、図７、図１１に示すように、ガイド管Ｂを、その各辺が建築物の通り芯に合わせた構真柱Ａの座標軸Ｘ，Ｙに対して４５度回転した位置関係にセットする。尚、図１１におけるＸ’，Ｙ’は、構真柱Ａの座標軸Ｘ，Ｙに対して４５度回転したガイド管Ｂの座標軸を示す。
【００３１】
しかる後、あるいは、ガイド管Ｂのセットに先立つ適当な時点で、図外のトレミー管により杭孔Ｆにコンクリートを打設して、場所打ちコンクリート杭Ｃを構築し、この場所打ちコンクリート杭Ｃがまだ固まらない間に、構真柱Ａを上記の状態にセットされたガイド管Ｂに落とし込む。ガイド管Ｂに対する構真柱Ａの振れや回転は、図６に示すように、ガイド管Ｂの互いに直角に隣接する内面と前記密嵌用スペーサー４の両端部との当接により阻止されるので、構真柱Ａをガイド管Ｂに落とし込みさえすれば、構真柱Ａの向きと鉛直度とを確保することができ、構真柱Ａが、図１で示した状態に建て込まれることになる。
【００３２】
場所打ちコンクリート杭Ｃがある程度硬化したら、ガイド管Ｂの引上げと上部芯決め装置Ｈの解体撤去を行い、次いで、図９に示すように、構真柱Ａの周囲を土砂Ｎで埋め戻すと共に、ヤットコＤを撤去し、しかる後、図１０に示すように、杭孔Ｆを完全に埋め戻して、養生を行うのである。
【００３３】
上記の構成によれば、ガイド管Ｂをその各辺が構真柱Ａの座標軸Ｘ，Ｙに対して４５度回転した位置関係にセットするので、ガイド管Ｂに構真柱Ａを落とし込むことにより、図１１に示すように、構真柱Ａの突起物であるエレクションピースやウイングプレート３が、ガイド管Ｂの入隅部の空間に位置することになり、ガイド管Ｂの入隅部と構真柱Ａのフランジ１ａとの間のスペースがエレクションピースやウイングプレート３の通過空間として利用されるので、構真柱Ａのフランジ１ａ幅よって若干の差異はあるが、エレクションピース２やウイングプレート３を含む構真柱Ａの外寸と、ガイド管Ｂの外寸と、コンクリート杭Ｃの杭軸径とは、概ね、次式の関係となる。
【００３４】
構真柱外寸＜ガイド管外寸＜杭軸径／１．２
【００３５】
従って、上述した本発明のガイド管による構真柱建て込み工法は、寸法制約条件が軽減され、杭軸径が構真柱外寸の約１．２倍まで、適用範囲が拡がることになる。
【００３６】
因に、図１１に仮想線で示すように、ガイド管Ｂの各辺を構真柱Ａの座標軸Ｘ，Ｙに沿わせて配置する従来工法によれば、杭軸径がＬ２  の場合、ガイド管Ｂに落とし込むことのできる構真柱Ａは、構真柱Ａの突起物であるエレクションピースやウイングプレート３の先端間の長さがＬ１  までの太さに制限され、それ以上に太い構真柱Ａを使用できないが、ガイド管Ｂを構真柱Ａの座標軸Ｘ，Ｙに対して４５度振って配置する本発明工法によれば、同じ杭軸径Ｌ２  で、且つ、同じ太さのガイド管Ｂであるにもかかわらず、エレクションピースやウイングプレート３の先端間の長さがＬ３  までの構真柱Ａを挿入できることになる。
【００３７】
また、上記の通り、寸法制約条件が軽減される結果、エレクションピース２の取付けが不可能になるケースが減り、図１７や図１８で示したような構真柱Ａやヤットコに対する加工が不要になるばかりでなく、ガイド管サイズの選定によっては、エレクションピースやウイングプレートよりも突出量の大きい鉄骨梁取付け用ガセットプレートの先行取付けも可能である。
【００３８】
しかも、ガイド管Ｂを構真柱Ａの座標軸Ｘ，Ｙに対して４５度振って配置することにより、ガイド管Ｂの互いに直角に隣接する内面で、一つの密嵌用スペーサー４の両端部をガイドすることが可能であるから、図２や図６で示したように、構真柱Ａにおける４枚のフランジ１ａのうち、相対向する２枚のフランジ１ａにだけ密嵌用スペーサー４を設けて、密嵌用スペーサー４の数を半減し、密嵌用スペーサー４の取付け作業量を半減することができる。
【００３９】
また、上記の実施例のように、上部芯決め装置Ｈを、架台１１と、相対向する側面の中央部に、ガイド管Ｂの角部と嵌合する互いに直角な嵌合面ｃを有する平面視略Ｍ型の位置決め部材１２ａ，１３ａが固着された２本の桁材１２，１３とで構成すれば、主桁と副桁を２本ずつ井桁状に組んでいた従来の上部芯決め装置に比して、桁材の使用本数が半減し、桁材の揚重、現地での小運搬、架台に対する位置調節等の諸作業を簡略化することができ、ガイド管Ｂの設置時間を短縮することが可能である。
【００４０】
図１２の（Ａ），（Ｂ）は、本発明工法に用いるガイド管Ｂの他の実施例を示す。このガイド管Ｂは、上部外側部に、対角線方向へ突出した第一の一対のブラケット５ａ，５ａと、相対向する２辺の中央部から各辺に対して直角方向へ突出した第二の一対のブラケット５ｂ，５ｂとを設けた点に特徴がある。
【００４１】
従って、構真柱建て込み工法として、ガイド管Ｂを構真柱Ａの座標軸Ｘ，Ｙに対して４５度回転した位置関係にセットする本発明工法を採用する場合には、第一のブラケット５ａ，５ａを上部芯決め装置Ｈの桁材１２，１３に支持させ、ガイド管Ｂの各辺を構真柱Ａの座標軸Ｘ，Ｙに沿わせて配置する従来工法を採用する場合には、上部芯決め装置として、主桁と副桁を井桁状に組んだ構成のものを使用すると共に、第二のブラケット５ｂ，５ｂをその副桁に支持させることができ、一つのガイド管Ｂを、本発明工法と従来工法とに共用できる利点がある。
【００４２】
尚、ガイド管Ｂが角形断面（正方形）であること、側面に鉛直度測定装置Ｋを、下部側には下部芯決め装置Ｊを夫々付設すること等、他の構成については、図３で示したガイド管Ｂと同じであるが、この実施例では、鉛直度測定装置Ｋの長さを短くして、その下端を下部芯決め装置Ｊのジャッキ９よりも上方に位置させたので、図示のように、鉛直度測定装置Ｋをガイド管Ｂの一側面の中央に配置しても、ジャッキ９が邪魔にならない。
【００４３】
図１３は、本発明工法の他の実施例を示す。この実施例は、ガイド管Ｂを、その各辺が構真柱Ａの座標軸Ｘ，Ｙに対して４５度回転した位置関係にセットする点は、先の実施例と同じであるが、上部芯決め装置Ｈを、従来工法における上部芯決め装置と同じように、架台１１と、その上に井桁状に組まれて載置固定される２本の主桁２０ａ，２０ｂと２本の副桁２１ａ，２１ｂとから構成した点に特徴がある。この実施例では、副桁２１ａ，２１ｂでガイド管Ｂを支持することになるので、ガイド管Ｂとしては、図１２に示した第二のブラケット５ｂ，５ｂを持ったガイド管Ｂや、相対向する２辺の中央部から各辺に対して直角方向へ突出した一対のブラケットだけを持った従来のガイド管が使用されることになる。その他の構成は、先の実施例と同じであるため、説明を省略する。
【００４４】
尚、上記の各実施例では、いずれも、構真柱Ａとして、断面形状がクロスＨ型のものを示したが、断面形状がＨ型の構真柱Ａについても、本発明が適用可能であることは、勿論である。
【００４５】
【発明の効果】
以上説明したように、本発明によれば、ガイド管を構真柱の座標軸に対して４５度振って配置することにより、ガイド管による構真柱建て込み工法についての寸法制約条件を軽減緩和して、ガイド管を用いた構真柱建て込み工法の適用範囲を拡大できる効果がある。
また、本発明によれば、ガイド管の入隅部と構真柱のフランジとの間のスペースを構真柱の突起物であるエレクションピースやウイングプレートの通過空間として利用できるので、エレクションピースやウイングプレートの取付けが不能となるケースを減少することが可能である。
また、請求項３によれば、ガイド管を構真柱の座標軸に対して４５度振って配置することにより、ガイド管の互いに直角に隣接する内面で、一つの密嵌用スペーサーの両端部をガイドすることが可能であるから、構真柱における４枚のフランジのうち、相対向する２枚のフランジにだけ密嵌用スペーサーを設けて、密嵌用スペーサーの数を半減し、密嵌用スペーサーの取付け作業量を低減できる効果がある。
【図面の簡単な説明】
【図１】本発明に係る構真柱建て込み工法とそれに用いるガイド管の実施例を示す縦断側面図である。
【図２】構真柱の斜視図である。
【図３】図３の（Ａ）はガイド管の斜視図、（Ｂ）は当該ガイド管の平面図である。
【図４】上部芯決め装置の斜視図である。
【図５】上部芯決め装置に用いる桁材の斜視図である。
【図６】上部芯決め装置でガイド管を支持し、当該ガイド管に構真柱を落とし込んだ状態を示す要部の一部切欠き平面図である。
【図７】上部芯決め装置の作用の説明図である。
【図８】本発明に係る構真柱建て込み工法の施工手順を説明する縦断側面図である。
【図９】本発明に係る構真柱建て込み工法の施工手順を説明する縦断側面図である。
【図１０】本発明に係る構真柱建て込み工法の施工手順を説明する縦断側面図である。
【図１１】本発明に係る構真柱建て込み工法とその効果を説明するための要部の模式的平面図である。
【図１２】本発明の構真柱建て込み工法に用いるガイド管の他の例を示し、図１１の（Ａ）はガイド管の斜視図、（Ｂ）は当該ガイド管の平面図である。
【図１３】本発明に係る構真柱建て込み工法の別実施例を示す要部の概略平面図である。
【図１４】従来例を説明する縦断側面図である。
【図１５】従来例の問題点を説明するための要部の模式的平面図である。
【図１６】従来例の問題点を説明するための要部の平面図である。
【図１７】従来例の問題点を説明するための要部の平面図である。
【図１８】従来例の問題点を説明するための要部の側面図である。
【符号の説明】
Ａ…構真柱、Ｂ…ガイド管、Ｘ，Ｙ…構真柱の座標軸。
【図１】
0003628417.tif 000002
【図２】
0003628417.tif 000003
【図３】
0003628417.tif 000004
【図４】
0003628417.tif 000005
【図５】
0003628417.tif 000006
【図６】
0003628417.tif 000007
【図７】
0003628417.tif 000008
【図８】
0003628417.tif 000009
【図９】
0003628417.tif 000010
【図１０】
0003628417.tif 000011
【図１１】
0003628417.tif 000012
【図１２】
0003628417.tif 000013
【図１３】
0003628417.tif 000014
【図１４】
0003628417.tif 000015
【図１５】
0003628417.tif 000016
【図１６】
0003628417.tif 000017
【図１７】
0003628417.tif 000018
【図１８】
0003628417.tif 000019